(57)【特許請求の範囲】
【請求項１】
前面が開口した便器ボウルに開設された排水口にカバーを配した小便器において、
前記カバーを遠隔操作にて上下に動作させる操作部および動作機構が小便器本体に組みつけられており、
前記カバーは、前記操作部による上移動の操作により、流れ口を有した通常使用の状態よりも上方に突出し、かつ、前記操作部の操作による前記カバーの上下の動作によって、前記流れ口が塞がれないことを特徴とする小便器。
【請求項２】
請求項１において、
前記カバーは、その上面が前記便器ボウルの底面と略同一平面上に保持され得ることを特徴とする小便器。
【請求項３】
前面が開口した便器ボウルに開設された排水口にカバーを配した小便器を備えた小便器システムであって、
前記カバーを遠隔操作にて上下に動作させる操作部および動作機構を備えており、
前記カバーは、前記操作部による上移動の操作により、流れ口を有した通常使用の状態よりも上方に突出し、かつ、前記操作部の操作による前記カバーの上下の動作によって、前記流れ口が塞がれないことを特徴とする小便器システム。
【発明の詳細な説明】
【技術分野】
【０００１】
本発明は、便器ボウルの排水口に着脱自在なカバーを有してなる男子専用の小便器および小便器システムに関する。
【背景技術】
【０００２】
従来の小便器は一般に、特許文献１などに開示されているように、排水口が便器ボウルの底面の中央部に設けられている。この排水口は略円形や略矩形などの形状であり、通例では排水口と略同形状のカバーが設けてある。
【０００３】
このカバーは着脱自在とされ、清掃の際には、カバーの上面に突出した引っ掛け部に取り外し用具のフックを引っ掛けて持ち上げることで取り外しできるようになっている（特許文献１の図５参照）。
【先行技術文献】
【特許文献】
【０００４】
【特許文献１】実開平７−４２８２２号公報
【発明の概要】
【発明が解決しようとする課題】
【０００５】
しかしながら、小便器の清掃には上記のような取り外し用具を用いなければならないため、作業性がよいとは言えない。また、カバーの上面に引っ掛け部による凹凸のため上面の清掃はしにくく、美観もよいとは言えない。
【０００６】
本発明は、このような問題を考慮して提案されたもので、その目的は、清掃の作業性がよく、すっきりとした美観を表出できる小便器および小便器システムを提供することにある。
【課題を解決するための手段】
【０００７】
上記目的を達成するために、本発明の小便器は、前面が開口した便器ボウルに開設された排水口にカバーを配した小便器において、カバーを遠隔操作にて上下に動作させる操作部および動作機構が小便器本体に組みつけられており、カバーは、操作部による上移動の操作により、流れ口を有した通常使用の状態よりも上方に突出し、かつ、操作部の操作による前記カバーの上下の動作によって、流れ口が塞がれないことを特徴とする。
【０００８】
本発明の小便器システムは、前面が開口した便器ボウルに開設された排水口にカバーを配した小便器を備えた小便器システムであって、カバーを遠隔操作にて上下に動作させる操作部および動作機構を備えており、カバーは、操作部による上移動の操作により、流れ口を有した通常使用の状態よりも上方に突出し、かつ、操作部の操作によるカバーの上下の動作によって、流れ口が塞がれないことを特徴とする。
【発明の効果】
【０００９】
本発明の小便器によれば、上述した構成となっているため、清掃の作業性をよくでき、すっきりとした美観を表出することができる。
【００１０】
本発明の小便器システムによれば、上述した構成となっているため、清掃の作業性をよくでき、すっきりとした美観を表出することができる。また、複数の小便器が設置された公衆トイレに適用することで、清掃を効率的に実施することができる。
【図面の簡単な説明】
【００１１】
【図１】本発明の一実施形態に係る小便器の説明図である。（ａ）は小便器の斜視図、（ｂ）は小便器の便器ボウルの底面の平面図、（ｃ）はカバーの動作を示した拡大断面図である。
【図２】遠隔操作によるカバーの動作構造を示した要部概略縦断面図である。
【図３】本発明の他の実施形態に係る小便器の動作構造を示す説明図であり、（ａ）〜（ｃ）はカバーの３つの状態例を示した要部概略縦断面図である。
【図４】本発明の一実施形態に係る小便器システムの概略基本構成図である。
【発明を実施するための形態】
【００１２】
以下に、本発明の実施の形態について、添付図面にもとづいて説明する。
まず、本実施形態に係る小便器の概略基本構成について説明する。
【００１３】
この小便器は、前面が開口した便器ボウル２０に開設された排水口３０にカバー３１を配した男子小用の便器である。このカバー３１を遠隔操作にて上下に動作させる操作部３３および動作機構３４が、小便器本体１０に組みつけられている（図１〜図３参照）。
【００１４】
この小便器はこのような構成であるため、取り外し用具を用いなくてもカバー３１の取り外しが容易にできる。また、カバー３１の上面３１ａに取り外しのための引っ掛け部を設けなくてもよいため、便器ボウル２０の底面２１を含む内面をすっきりとした美観にすることができ、かつカバー３１の上面３１ａを含む底面２１全体の清掃も簡単にできる。また、カバー３１の上面３１ａを、カバー３１を取り付けた状態でも容易に清掃できるので、カバー３１の取り外しにより周囲が汚れることを回避でき、清潔感が向上する。カバー３１を取り付けた状態で清掃できるので、カバー３１を着脱自在な構成としなくてもよい。
【００１５】
ついで、図１および図２に示した小便器（小便器本体１０）の詳細な構成および効果について説明する。
【００１６】
図１に示すように、小便器本体１０は背面部１１、上面部１２、底部１３、側壁部１４、前壁部１５を有しており、それらにより便器ボウル２０が形成されている。つまり便器ボウル２０は、図１（ａ）に示したように、前面が開口し、連続した内面（壁面２２、底面２１）を有する凹所を備えている。なお、便器ボウル２０における背面部１１側の壁面２２の上部には、洗浄水を吐出する洗浄ノズル１７が設けてある。
【００１７】
底部１３の上端面である便器ボウル２０の底面２１は、その全外周縁を介して壁面２２につながっている。また図１（ａ）に示すように、この底面２１は前壁部１５の上端よりも低い位置にあり、正面からは視認され得ない。
【００１８】
便器ボウル２０の底面２１は、図１（ｂ）に示すように、輪郭は略三角形の湾曲形状とされ、前方に向けて細まった形状となっている。この底面２１の中央部には排水口３０が形成され、その排水口３０にはカバー３１が取り付けてある。排水口３０を設けた底面２１の中央部は、水勾配を考慮して最下位置に配されていることは言うまでもない。なお、排水口３０を設ける位置は、最下位置であれば中央部でなくてもよく、いずれの部位でもよい。
【００１９】
カバー３１は、カバー３１の外周側部３１ｃと排水口３０の内側部３０ｃとの間に隙間が形成されるように保持されている。この隙間が尿や洗浄水（以下、水等という）の流れ口３０ａとして作用する。
【００２０】
このカバー３１は、その上面３１ａに凹凸や段差はなく、かつ、上面３１ａが便器ボウル２０の底面２１と略同一平面（高さ位置が概ね同じ）となるように保持されている。なお、カバー３１の上面３１ａは平面には限定されず、周囲の流れ口３０ａに水等がスムーズに流れるような湾曲面であってもよい。
【００２１】
この小便器本体１０には、遠隔操作にてカバー３１を上下に動作させるための操作部３３および動作機構３４が組みつけられている。操作部３３の押し／引き操作によりカバー３１が上げ／下げされる、いわゆるポップアップ式の構造であり、カバー３１と、つまみ状の操作部３３との間はレリーズワイヤ３４ｂ（図２参照）を含む動作機構３４で連結されている。なお、操作部３３は、いたずら操作がされないように、通常では蓋で覆われた操作凹所などに設けることが望ましい。
【００２２】
図２は、遠隔操作によるカバー３１の動作構造を示した要部概略縦断面図である。上述したように、カバー３１と操作部３３とはレリーズワイヤ３４ｂで連結されている。レリーズワイヤ３４ｂは、ケーシング３４ｃ内にインナーケーブル３４ｄが挿通されてなる。このインナーケーブル３４ｄがカバー３１、操作部３３間を連結し、操作部３３の押し／引き操作による動作がインナーケーブル３４ｄに伝達されてカバー３１が上下に動作する。
【００２３】
具体的には、カバー３１の下面３１ｂには動作シャフト３２が取り付けられ、その動作シャフト３２が動作ブロック３４ａ内でインナーケーブル３４ｄに連結されている。一方、操作部３３側では、操作ブロック３３ｂ内で操作部３３に取り付けられた操作シャフト３３ａがインナーケーブル３４ｄに連結されている。
【００２４】
図２に示すように、これらの動作機構３４により、操作部３３を押し下げたときにはカバー３１が底面２１よりも高く突出し、操作部３３を元の位置に引き上げたときにはカバー３１が元の高さ位置に戻る。図２では、突出位置にあるカバー３１および押し下げ位置にある操作部３３を２点鎖線で示した。なお図２中、実線矢印は水等の排水の流れを示すものである。
【００２５】
カバー３１は、排水口３０に取り付けたままで清掃をしやすくするために、便器ボウル２０の底面２１と略同一平面上に保持されることが望ましい。誤動作などによりカバー３１が底面２１より下方に沈みこまないように、ストッパ用の載置部３５を設けることが望ましい。
【００２６】
このように、カバー３１は通常の使用状態では突出しておらず取り外しがしにくいが、操作部３３で上移動の操作をすれば上方に突出するためカバー３１を簡単に取り外しができ、排水通路３０ｂの清掃がしやすくなる。
【００２７】
このようにカバー３１のポップアップ動作が可能な構成であるから、小便器の通常使用の状態で、カバー３１を取り外ししやすく設置したり、取り外し用具で取り外すための引っ掛け部を上面３１ａに設けたりする必要がない。したがって、このようにカバー３１を上下動できる構成であるため、本例のように、通常使用の状態では、そのままの状態で清掃がしやすいように、カバー３１をその上面３１ａを底面２１と略同高さ位置に保持しておけばよい。また、カバー３１の上面３１ａに引っ掛け部のような操作部を設けなくてもよいから、本実施形態の例のように概ねフラットに形成することができる。
【００２８】
また、カバー３１をシンプルでフラットな形状にでき、上面３１ａが底面２１と略同一平面となるように配することができるため、便器ボウル２０をすっきりとした美観にすることができる。上面３１ａが底面２１と略同一平面となるようにカバー３１を保持できるから、便器ボウル２０内の底面２１を清掃用具で清掃する際に清掃用具がカバー３１で引っ掛からず、作業をしやすくすることができる。
【００２９】
カバー３１の上下動作の遠隔操作方式としては、操作部３３の押し／引き操作によるものに限られず、操作部３３の押し下げ操作の連続でカバー３１の上下動が交互に繰り返されるプッシュ式を採用してもよい。また、動作機構３４としては、操作部３３の操作でリンク材を可動させてカバー３１を上下動作させるリンク式を採用してもよいし、電動式、油圧式などの機構を採用してもよい。
【００３０】
また、カバー３１の周囲に流れ口３１ａを設けずにカバー３１を網目状等の目皿の構成にしてもよい。なお、目皿として作用するものであっても、凸部が形成されていないことが清掃作業性の面で望ましい。
【００３１】
図３は、本発明の他の実施形態に係る小便器の説明図である。なお、本図例では図３（ａ）に動作機構３４を簡略的に示した。図３（ａ）における３６は電動式の動作部である。
【００３２】
図３の小便器は平面視ではカバー３１が排水口３０よりも大きい。つまり、通常使用の状態ではカバー３１が底面２１よりも突出するように排水口３０を覆っており、図３（ａ）に示すように、カバー３１と底面２１との高さ方向にできた隙間（流れ口３０ａ）より水等が流れ込むようになっている。
【００３３】
このカバー３１は、図３に示すように、平面視では排水口３０の全体が見えないように取り付けてある。そのため、排水通路３０ｂがほとんど露出されず、美観をさらによくすることができる。
【００３４】
また、この小便器では電動式の動作部３６の動作により、カバー３１を３段階以上の多段階の高さ位置に保持できる構成となっている。図３（ａ）は通常使用の状態の位置でカバー３１が保持されている状態を示した図であり、図３（ｂ）は流れ口３０ａの高さ寸法Ｈが大きくなった位置で保持されている状態を示した図である。また、図３（ｃ）は、流れ口３０ａの高さ寸法Ｈがさらに大きくなった位置で保持されている状態を示した図である。
【００３５】
図３（ａ）（ｂ）の状態は、通常使用の状態としていずれかを選択的に利用されるようにすればよい。たとえば、洗浄水の量におうじて選択するようにしてもよい。また、図３（ｂ）の状態を簡単な清掃の際に選択し、図３（ｃ）の状態を排水口３０および排水通路３０ｂの清掃の際に選択するようにしてもよい。また、カバー３１やその動作機構３４の取り付け対象である小便器本体１０の形状、寸法などにおうじて選択することができる。
【００３６】
図３の例は上述したように３モードの使用態様に対応しているが、カバー３１の下面３１ｂを底面２１に接触させて流れ口３０ａを塞ぐようにして保持されるボウル貯水モードをさらに設けてもよい。このボウル貯水モードでは、たとえば薬液などを便器ボウル２０に溜めて清掃することができる。なお、薬液の排水口３０への流れ出しを防止するために、カバー３１の下面３１ｂにパッキンを取り付けることが望ましい。
【００３７】
図４は、本発明の一実施形態に係る小便器システムの一例を示す概略基本構成図である。このシステムはたとえば、複数の小便器（小便器本体１０）を設置した公衆トイレなどに使用される。
【００３８】
この小便器システムは、前面が開口した便器ボウル２０に開設された排水口３０にカバー３１を配した小便器を備えたシステムであって、カバー３１を遠隔操作にて上下に動作させる操作部３３および動作機構３４を備えている。なお、個々の小便器本体１０は図１に示したものと同様であり、同一の符号を付してそれらの説明は省略する。
【００３９】
図４に例示した小便器システムは、各小便器本体１０の排水口３０に取り付けられたカバー３１を上下動させる各動作部３６よりなる動作機構３４と、それらの動作部３６を動作させる１つの操作部３３とを備えている。小便器本体１０の排水口３０に配されたカバー３１は動作部３６に連結され、それらの動作部３６はそれぞれが操作部３３に連結されている。すなわち、本システムは、操作部３３を操作することで複数の小便器のカバー３１を同時に上下動させることができる構成となっている。
【００４０】
ここで、共通の操作部３３は、清掃用具保管室などに設置されていることが使いやすく、かついたずらなどもされないため望ましいが、いずれかの小便器本体１０に組みつけられたものとしてもよい。
【００４１】
本システムは上記のような構成となっているため、公衆トイレなどに設置された複数の小便器を清掃する際には、操作部３３を操作してカバー３１を高い位置にいっせいに移動させることができ、作業性をよくすることができる。また、清掃が終了すれば、操作部３３を操作してカバー３１をいっせいに元の位置に戻すことができ、効率的な清掃を実施することができる。もちろん、個々の小便器の美観をよくすることもでき、個々の小便器および公衆トイレ全体の清潔感を向上させることもできる。
【符号の説明】
【００４２】
１０            小便器本体
２０          便器ボウル
２１          底面
３０          排水口
３１          カバー
３１ａ        上面
３３          操作部
３４          動作機構
３５          載置部
３６          動作部
【図１】
0006712770.tif 000002
【図２】
0006712770.tif 000003
【図３】
0006712770.tif 000004
【図４】
0006712770.tif 000005